(57)【特許請求の範囲】
【請求項１】
布基礎に部分的に設けられる土台を施工する方法であって、土台とアンカーボルトとを相互に組み立てた部材であるアンカー土台を準備し、このアンカー土台を基礎型枠内の所定の据付位置に、土台配置定規およびこの土台配置定規をレベル調整可能に基礎型枠に設置する定規支持部品を介して設置し、このアンカー土台の設置された基礎型枠内に基礎コンクリートを打設して養生することにより、アンカー土台のアンカーボルトが埋め込まれた布基礎を構築するアンカー土台基礎の施工方法。
【請求項２】
配筋および基礎型枠の施工完了後、基礎型枠の長手方向の複数箇所におけるおおよそのアンカー土台据付位置に幅止め金物を据え付け、定規支持部品を基礎型枠へ設置し、この定規支持部品の有するレベル調整ナットを基礎天端レベルのおおよその位置へ調整し、上記基礎型枠上に据え付けられた各幅止め金物にアンカー土台を順次配置し、基礎型枠の任意に選定した基準となる隅部より、基礎型枠の長手方向に並べて上記土台配置定規を順次組付け、これら土台配置定規にアンカー土台を取付けた後、上記幅止め金物を除去して上記土台配置定規を上記定規支持部品の上記ナット上に載せ、隣合う土台配置定規を、上記基準となる隅部から順次ジョイント部材にて組付け、各定規支持部品を各々基準高さレベルに調整して固定し、基礎型枠に基礎コンクリートを打設する請求項１に記載のアンカー土台基礎の施工方法。
【請求項３】
布基礎に部分的に設けられる土台とアンカーボルトとを相互に組み立ててなり、この組み立て状態で基礎型枠に設置されて上記アンカーボルトが布基礎に埋め込まれるアンカー土台。
【請求項４】
布基礎に部分的に設けられる土台と、この土台に相互に組み立てられたアンカーボルトとでなるアンカー土台を、基礎型枠上に位置決めして設置するアンカー土台設置治具セットであって、基礎型枠上に設置されて定規支持レベルが調整可能な複数の定規支持部品と、基礎型枠の長手方向に並べて配置され、上記定規支持部品上に配置されてアンカー土台が取付けられる複数の土台配置定規とを含むアンカー土台設置治具セット。
【発明の詳細な説明】
【０００１】
【発明の属する技術分野】
この発明は、布基礎に部分的に設けられる土台を施工するアンカー土台基礎の施工方法、そのアンカー土台、およびアンカー土台設置治具セットに関する。
【０００２】
【従来の技術】
従来、布基礎に部分的に設けられる土台を施工するのに、アンカーボルトを埋め込んで布基礎を打設し、そのアンカーボルトに土台を据え付けている。土台のレベル調整は、布基礎の天端面を基準にして行う。モジュールの位置指定は、アンカーボルトを位置決め用補助具などで位置決めすることにより行う。
【０００３】
【発明が解決しようとする課題】
しかし、上記施工方法では、以下に挙げるような種々の問題点がある。
（１）土台のレベル調整の基準となる基礎天端面のレベルは、基礎コンクリート打設後に、レベラーを一様に流し込み、調整しているが、作業者の技量に左右されバラツキが生じる。また、基礎天端面レベルが許容範囲外となった部分は、煩雑な是正作業を要するので、施工性が低下する。
（２）建方のベース部品である土台は、アンカーボルトに据え付けられるが、布基礎に埋め込まれた後のアンカーボルトに据え付けるので、単独で位置指定することができず、建方時の最終段階で指定位置が被る結果となっている。
（３）基礎天端面の不陸に伴い、サッシ対角寸法不良が頻繁に発生している。
（４）コンクリート打設後のアンカーボルト位置精度不良による手直しが依然として発生している。
【０００４】
この発明の目的は、布基礎に部分的に設けられる土台の施工性の向上、および土台の天端面の精度向上が図れるアンカー土台基礎の施工方法、そのアンカー土台、およびアンカー土台設置治具セットを提供することである。
【０００５】
【課題を解決するための手段】
この発明のアンカー土台基礎の施工方法は、布基礎に部分的に設けられる土台を施工する方法であって、土台とアンカーボルトとを相互に組み立てた部材であるアンカー土台を準備する。このアンカー土台を、基礎型枠内の所定の据付位置に、土台配置定規および定規支持部品を介して設置する。定規支持部品は、土台配置定規をレベル調整可能に基礎型枠に設置する部品である。このようにアンカー土台の設置された基礎形枠内に基礎コンクリートを打設して養生することにより、アンカー土台のアンカーボルトが埋め込まれた基礎を構築する。
この施工方法によると、土台とアンカーボルトとを予め組み立てたアンカー土台とし、このアンカー土台の据え付けは、基礎コンクリートの打設前に行う。その据え付けには、土台配置定規および定規支持部品を用いる。このときに、アンカー土台天端面における水平および鉛直方向の施工精度を調節することができ、その後にコンクリート打設を行う。そのため、基礎天端面における厳しいレベル調整作業が不要となる。したがって、施工性が向上し、また作業者の技量に左右され難く、土台天端面の水平および垂直精度も向上する。
【０００６】
この発明のアンカー土台基礎の施工方法において、次のように施工しても良い。配筋および基礎型枠の施工完了後、基礎型枠の長手方向の複数箇所におけるおおよそのアンカー土台据付位置に幅止め金物を据え付ける。定規支持部品を基礎型枠へ固定し、この定規支持部品の有するレベル調整ナットを基礎天端レベルのおおよその位置へ調整する。上記基礎型枠上に据え付けられた各幅止め金物にアンカー土台を順次配置する。基礎型枠の任意に選定した基準となる隅部より、基礎型枠の長手方向に並べて上記土台配置定規を順次組付ける。これら土台配置定規にアンカー土台を取付けた後、上記幅止め金物を除去して上記土台配置定規を上記定規支持部品の上記ナット上に載せる。隣合う土台配置定規を、上記基準となる隅部から順次ジョイント部材にて組付け、各定規支持部品を各々基準高さレベルに調整して固定し、基礎型枠に基礎コンクリートを打設する。なお、上記ナットへ載せるのは、座金を介して載せても良い。
この方法の場合、土台配置定規にアンカー土台を取付け、土台配置定規を定規支持部品のレベル調整ナット上に載せ、定規支持部品を基準高さレベルに調整することにより土台のレベル調整を行うので、土台のレベル調整を容易にかつ精度よく行うことができる。また、土台配置定規を、基礎型枠の基準となる隅部から長手方向に並べ、隣合う土台配置定規を順次ジョイント部材にて組付けるので、土台の位置指定を容易にかつ精度よく行うことができる。
【０００７】
この発明のアンカー土台は、布基礎に部分的に設けられる土台とアンカーボルトとを相互に組み立ててなり、この組み立て状態で基礎型枠に設置されて上記アンカーボルトが布基礎に埋め込まれるものする。
この構成によると、アンカーボルトと共に、土台を基礎型枠に水平および鉛直方向に位置決めすることができ、その状態で基礎コンクリートの打設が行える。そのため、施工性が向上し、土台天端面の精度も向上する。また、土台を布基礎の施工段階で位置指定することができる。
【０００８】
この発明のアンカー土台設置治具セットは、布基礎に部分的に設けられる土台と、この土台に相互に組み立てられたアンカーボルトとでなるアンカー土台を、基礎型枠上に位置決めして設置するものであって、基礎型枠上に設置されて定規支持レベルが調整可能な複数の定規支持部品と、基礎型枠の長手方向に並べて配置され、上記定規支持部品上に配置されてアンカー土台が取付けられる複数の土台配置定規とを含むものとしている。
この構成のアンカー土台設置治具セットによると、この発明の上記施工方法で施工できて、施工性が向上し、また作業者の技量に左右され難く、土台天端面の水平および垂直精度も向上する。
【０００９】
【発明の実施の形態】
この発明の一実施形態を図１ないし図７と共に説明する。この実施形態に係るアンカー土台基礎の施工方法は、布基礎に部分的に設けられる土台を施工する方法であって、その施工途中の状態を、図１〜図３に平面図、正面図および側面図で示し、そのアンカー土台を図４に示す。この施工方法は、図４に示すように、土台２とアンカーボルト３とを相互に組み立てた部材であるアンカー土台１を準備する。このアンカー土台１を、図５（Ａ）〜（Ｃ）に示す複数の定規支持部品５と、複数の土台配置定規６と、複数のジョイント部材７とを含むアンカー土台設置治具セット４を用いて、基礎型枠８（図３）の所定の位置に設置する。
【００１０】
図４に斜視図で示すように、アンカー土台１の上面には、土台配置定規６に取付けるための複数の位置決め孔１８が形成されている。アンカー土台１を構成する土台２は、溝形鋼からなる土台本体１３の両端にエンドプレート１４を溶接し、土台本体１３の上下面１３ａ，１３ｂ間に一対の補強板１５，１５を介挿すると共に、土台本体１３の下面１３ｂに水平プレート１６を溶接して構成される。土台本体１３の下面１３ｂ側に一対のアンカーボルト３，３がナット１７で締結して垂直に支持される。土台本体１３の上面１３ａに、上記位置決め孔１８が形成されている。
【００１１】
図１〜図３において、アンカー土台設置治具セット４は、アンカー土台１を基礎型枠８上に位置決めして設置するものである。このアンカー土台設置治具セット４における定規支持部品５は、基礎型枠８上に設置されて定規支持レベルが調整可能な部品である。この定規支持部品５は、図５（Ａ）に示すように、下側ボルト２１と、この下側ボルト２１が貫通する上下一対の型枠固定用座金２２，２２と、下側ボルト２１に螺合して前記座金２２を基礎型枠８に押し付ける筒形ナット２３と、この筒形ナット２３に螺合する上側ボルト２４とを有する。さらにこの定規支持部品５は、上側ボルト２４に螺合し座金２５を介して前記筒形ナット２３の上端に押し当てられるナット２６と、上側ボルト２４に螺合するレベル調整ナット２７と、上側ボルト２４が貫通し上側ボルト２４の前記レベル調整ナット２７より上位置に配置される上下一対の定規固定用座金２８，２８と、上側ボルト２４に螺合して前記座金２８を土台配置定規６に押し付ける筒形ナット２９とを備える。
【００１２】
アンカー土台設置治具セット４における土台配置定規６は、基礎型枠８の長手方向に並べて配置されると共に、定規支持部品５上に配置されてアンカー土台１が取付けられる定規である。この土台配置定規６は、図５（Ｂ）に平面図で示すように、基礎型枠８と略同じ幅寸法とした金属製の平板状枠部材からなる。土台配置定規５は、基礎型枠８へ設置した状態で、基礎型枠８内への基礎コンクリート打設を可能とするためのコンクリート注入用の開口３０と、この土台配置定規５へクランプ４０を用いてアンカー土台１を取付けるときにクランプ４０の配置を許容する開口３１を有する。また、この土台配置定規５は、アンカー土台１を取付けるための複数の位置決め孔３２と、定規支持部品５に支持させるための複数のボルト挿通孔３３と、隣合う土台配置定規５，５同士を、ジョイント部材７を介して組付けるための複数の位置決め孔３４を有する。
【００１３】
アンカー土台設置治具セット４におけるジョイント部材７は、隣合う土台配置定規６，６同士を組付ける連結用の部材である。このジョイント部材７は、土台配置定規６と略同じ幅寸法とした金属製の平板部材からなり、土台配置定規６の位置決め孔３４と整合する複数の位置決め孔３５を両端部に有する。
【００１４】
次に、このアンカー土台基礎の施工方法の具体的な手順を、図１〜図３、および図６，図７を参照して説明する。
先ず、図６（Ａ）のように、配筋９（図３）および基礎型枠８の施工が完了した後で、基礎型枠８の長手方向の複数箇所におけるおおよそのアンカー土台据付位置に幅止め金物３８を据え付ける。つぎに、図６（Ｂ）のように、定規支持部品５を基礎型枠８へ固定し、この定規支持部品５のレベル調整ナット２７を基礎天端レベルのおおよその位置へ調整する。基礎型枠８への定規支持部品５の固定は、図３のように、定規支持部品５の下側ボルト２１を基礎型枠８の上端フランジ８ａのボルト挿通孔（図示せず）に挿通して、下側ボルト２１が貫通する上下一対の型枠固定用座金２２，２２で前記上端フランジ８ａを挟み、下側ボルト２１に螺合する筒形ナット２３で前記座金２２を上端フランジ８ａに締め付けることにより行う。
【００１５】
ついで、図６（Ｃ）のように、基礎型枠８上に据え付けられた各幅止め金物３８にアンカー土台１を順次配置する。この後、図７（Ａ），（Ｂ）のように、基礎型枠８の（つまり構築される布基礎の）任意に選定した基準となる隅部より、基礎型枠８の長手方向に土台配置定規６を並べて配置し、これら土台配置定規６に位置決めピン３９およびクランプ４０を用いてアンカー土台１を取付ける。土台配置定規６の配置では、土台配置定規６のボルト挿通孔３３（図５）を対応する定規支持部品５の上側ボルト２４に挿通させた状態で、アンカー土台１の上に載置し、これにより土台配置定規６の位置決めを行う。また、土台配置定規６へのアンカー土台１の取付けでは、図２のように土台配置定規６の位置決め孔３２（図５）と土台２の対応する位置決め孔１８（図４）とに位置決めピン３９を挿通させると共に、図１のように土台２と土台配置定規６とをクランプ４０で把持することにより行う。なお、基礎型枠８の隅部に用いる土台配置定規６およびアンカー土台１は、基礎型枠８の直線部分に用いる土台配置定規６およびアンカー土台１とは若干形状が異なる（概形Ｌ字状とされる）が、機能は同じである。
【００１６】
この後、図７（Ａ），（Ｂ）のように、幅止め金物３８を基礎型枠８から除去して、土台配置定規６を定規支持部品５のレベル調整ナット２７上に載せ、隣合う土台配置定規６，６を、基準となる隅部から順次ジョイント部材７により組付け、各定規支持部品５を各々基準高さレベルに調整して固定する。ジョイント部材７による隣合う土台配置定規６，６の組付けでは、図１および図２のように、ジョイント部材７の位置決めピン３５（図５）と土台配置定規６の対応する位置決め孔３４（図５）とに位置決めピン３９を挿通させ、必要に応じてジョイント部材７と土台配置定規６をクランプ４０で把持することにより行う。定規支持部品５のレベル調整ナット２７でレベル調整した土台配置定規６は、レベル調整ナット２７の上位置の一対の定規固定用座金２８で挟み、その座金２８を図７（Ｃ）のように上側ボルト２４に螺合させた筒形ナット２９で土台配置定規６に押し付けることにより固定する。これにより、基礎型枠８内の所定の据付位置に土台配置定規６を介してアンカー土台１が設置される。このようにアンカー土台１の設置された基礎型枠８内に基礎コンクリートを打設して養生することにより、アンカー土台１のアンカーボルト３が埋め込まれた布基礎５０（図３参照）を構築する。
【００１７】
このように、このアンカー土台基礎の施工方法によると、土台２とアンカーボルト３とを相互に組み立ててなるアンカー土台１を基礎型枠８内の所定の据付位置に土台配置定規６を介して設置してから、基礎型枠８内に基礎コンクリートを打設するので、布基礎の天端面レベルを調整するなどの作業を要することなく、容易に土台２を指定位置にレベル調整して設置でき、施工性が向上する。
【００１８】
また、この施工方法では、土台配置定規６にアンカー土台１を取付け、土台配置定規６を定規支持部品５のレベル調整ナット２７上に載せ、定規支持部品５を基準高さレベルに調整することにより土台２のレベル調整を行うので、土台２のレベル調整を容易にかつ精度よく行うことができる。また、土台配置定規６を、基礎型枠８の基準となる隅部から長手方向に並べ、隣合う土台配置定規６，６を順次ジョイント部材７にて組付けるので、土台２の位置指定を容易にかつ精度よく行うことができる。
【００１９】
さらに、この施工方法に用いるアンカー土台１は、布基礎に部分的に設けられる土台２とアンカーボルト３とを相互に組み立ててなり、この組み立て状態で基礎型枠８に設置されて前記アンカーボルト３が布基礎に埋め込まれるものとしているので、布基礎に対する所定の指定位置に土台２を容易にかつ精度良く設置できる。
【００２０】
また、この施工方法に用いるアンカー土台設置治具セット４は、基礎型枠８上に設置されて定規支持レベルが調整可能な複数の定規支持部品５と、基礎型枠８の長手方向に並べて配置され、前記定規支持部品５上に配置されてアンカー土台１が取付けられる複数の土台配置定規６とを含むものとしているので、基礎型枠８上に定規支持部品５を設置し、この定規支持部品５上に配置する土台配置定規６にアンカー土台１を取付けてから、定規支持部品５で土台配置定規６の支持レベルを調整することにより、土台２のレベル調整を容易にかつ精度良く行うことができる。
【００２１】
この実施形態におけるアンカー土台基礎の施工方法の利点をまとめると、つぎのようになる。
・土台天端面の精度向上（例えば、水平精度が±１mm以下、レベル位置公差が３  mm以下とできる）。
・基礎施工延べ作業工数の短縮（例えば、標準的な敷地面積の住宅で、６．０時間以上短縮される）。
・１棟当たりのトータルコストの低減。
・レベル位置不良によるグラインダーの研磨作業の排除。
・アンカーボルトの位置精度不良ゼロ。
・建方作業工数の軽減。
・サッシ対角不良の軽減。
【００２２】
【発明の効果】
この発明のアンカー土台基礎の施工方法は、布基礎に部分的に設けられる土台を施工する方法であって、土台とアンカーボルトとを相互に組み立てた部材であるアンカー土台を準備し、このアンカー土台を基礎型枠内の所定の据付位置に、土台配置定規および定規支持部品を介して設置し、このアンカー土台の設置された基礎型枠内に基礎コンクリートを打設して養生することにより、アンカー土台のアンカーボルトが埋め込まれた布基礎を構築する方法であるため、土台の施工性が向上し、土台天端面の水平および鉛直精度の向上も図れる。
この発明のアンカー土台は、布基礎に部分的に設けられる土台とアンカーボルトとを相互に組み立ててから、この組み立て状態で基礎型枠に設置されて上記アンカーボルトが布基礎に埋め込まれるものとしたため、この発明の施工方法等を採用することにより、施工性が向上し、土台天端面の精度も向上する。また、土台を布基礎の施工段階で位置指定することができる。
この発明のアンカー土台設置治具セットは、布基礎に部分的に設けられる土台と、この土台に相互に組み立てられたアンカーボルトとでなるアンカー土台を、基礎型枠上に位置決めして設置するものであって、基礎型枠上に設置されて定規支持レベルが調整可能な複数の定規支持部品と、基礎型枠の長手方向に並べて配置され、上記定規支持部品上に配置されてアンカー土台が取付けられる複数の土台配置定規とを含むものとしたため、土台の施工性が向上し、作業者の技量に左右され難く、土台天端面の水平および鉛直精度の向上も図れる。
【図面の簡単な説明】
【図１】この発明の一実施形態に係るアンカー土台基礎の施工方法による施工途中の状態を示す部分平面図である。
【図２】同施工途中の状態を示す部分正面図である。
【図３】同施工途中の状態を示す側面断面図である。
【図４】同施工方法に用いるアンカー土台の斜視図である。
【図５】同施工方法に用いるアンカー土台設置治具セットの説明図である。
【図６】同施工方法の前半工程の説明図である。
【図７】同施工方法の後半工程の説明図である。
【符号の説明】
１…アンカー土台
２…土台
３…アンカーボルト
４…アンカー土台設置治具セット
５…定規支持部品
６…土台配置定規
７…ジョイント部材
８…基礎型枠
９…配筋
２７…レベル調整ナット
３８…幅止め金物
５０…布基礎
【図１】
0003798290.tif 000002
【図２】
0003798290.tif 000003
【図３】
0003798290.tif 000004
【図４】
0003798290.tif 000005
【図５】
0003798290.tif 000006
【図６】
0003798290.tif 000007
【図７】
0003798290.tif 000008